(57)【要約】      （修正有）【課題】電気的なノイズ発生がなく、少ない電力で駆動可能であり、更に、地図変更に伴う表示位置の配置換えも容易できるようにする。【解決手段】透明板部材を用いた表示窓１６の背後に地図を描画した交換自在な地図シート部材１８を配置し、更に、地図シート部材１８の背後に挟み込み支持する透明板部材を用いた背面カバー部材２０を配置する。照明表示部材２４は、背面カバー部材２０の裏面の任意の位置に着脱自在に配置され、光源ユニット２８から光ファイバー２６により伝送した光により地図シート部材１８に描画された地図上の対応位置を局所的に背光照明する。【選択図】図２
2010217361.tif 000002
【特許請求の範囲】
【請求項１】
前面に地図を表示し、イベント内容に応じて地図背後から照光表示する表示装置に於いて、
装置前面に配置され前記地図を表示する地図表示部と、
装置内部の基板上に配置された光源と、
前記地図表示部の背後に着脱自在に配置され、前記光源から光ファイバーにより伝送した光により前記地図表示部の地図上の対応位置を局所的に背光照明する照明表示部材と、
を備えたことを特徴とする表示装置。
【請求項２】
請求項１記載の表示装置に於いて、
前記地図表示部は、透明板部材の表示窓と、
前記表示窓の背後に配置され、地図を描画した交換自在な地図シート部材と、
前記地図シート部材の背後に配置されて挟み込み支持する透明板部材を用いた背面カバー部材で構成し、
前記照明表示部材は背面カバー部材の背後の任意の位置に着脱自在に配置されることを特徴とする表示装置。
【請求項３】
請求項１又は２記載の表示装置に於いて、前記照明表示部材は、
背後から光ファイバーを接続し、前方に開口したアダプタと、
前記アダプタの開口側に配置され、所定形状の切抜きを有するマスク部材と、
前記マスク部材を収納した状態で前記アダプタの開口に装着された透明キャップ部材と、
を備えたことを特徴とする表示装置。
【請求項４】
請求項１又は２記載の表示装置に於いて、前記照明表示部材は、
背後から光ファイバーを接続し、前方に開口したアダプタと、
前記アダプタに、前記光ファイバーからの光を入射して面光源に散乱させる散乱部材を配置したことを特徴とする表示装置。
【請求項５】
請求項３又は４記載の表示装置に於いて、前記照明表示部材は、前記アダプタに、照明光に任意の色を付与する色フィルタを配置したことを特徴とする表示装置。
【請求項６】
請求項１記載の表示装置に於いて、前記照明表示部材を両面粘着シート部材により前記背面カバー部材の背後に着脱自在に装着したことを特徴とする表示装置。
を備えたことを特徴とする表示装置。
【請求項７】
請求項１記載の表示装置に於いて、
前記背面カバー部材の背後に、取付穴を複数形成した取付板部材を配置し、前記取付板部材の任意の取付穴に前記照明表示部材を挿入配置したことを特徴とする表示装置。
【請求項８】
請求項１記載の表示装置に於いて、前記光ファイバーは単一光源からの光を分岐して複数の前記照明表示部材に光を伝送することを特徴とする表示装置。
【請求項９】
請求項１又は２記載の表示装置に於いて、前記照明表示部材は、
背後から光ファイバーを接続し、前方に開口したアダプタと、
前記アダプタの開口部にレンズ部を形成したことを特徴とする表示装置。
【請求項１０】
請求項９記載の表示装置に於いて、前記照明表示部材は、背後に光ファイバーを挿入固定する挿入穴を有し、前方に穴を開口すると共に前記穴の底部に凸面レンズ部を形成した透明部材であることを特徴とする表示装置。
【請求項１１】
請求項１又は２記載の表示装置に於いて、前記照明表示部材は、
前記背面カバー部材の背後に配置され前記光源の光を面発光させるライトガイドと、
前記ライトガイドに接続され光ファイバーを固定し光をライトガイド入射させるアダプタと、
を備えたことを特徴とする表示装置。
【請求項１２】
請求項１記載の表示装置に於いて、前記照明表示部材から引き出された光ファイバーを回路基板に光源として実装された発光素子の各々に光学的に連結する光源ユニットを設けたことを特徴とする表示装置。
【請求項１３】
請求項１２記載の表示装置に於いて、前記光源ユニットは、背後に光ファイバーを挿入固定する挿入穴を形成し、前方に回路基板に実装された発光素子を覆うスカート部を形成すると共に前記スカート部の先端に前記光源ユニットを前記回路基板に固定する固定部を形成したアダプタを有することを特徴とする表示装置。
【請求項１４】
請求項１記載の表示装置に於いて、前記照明表示部材から引き出された複数本のファイバーを着脱自在なコネクタ構造により回路基板側に実装された光源としての発光素子の各々に光学的に連結するコネクタ型光源ユニットを設けたことを特徴とする表示装置。
【請求項１５】
請求項１３記載の表示装置に於いて、前記コネクタ光源ユニットは、背後に光ファイバーを挿入固定する挿入穴を形成し、前方に回路基板に実装された発光素子を覆うスカート部を形成したアダプタを複数連接し、前記スカート部の先端に前記コネクタ光源ユニットを回路基板に固定する固定部を形成したことを特徴とする表示装置。
【発明の詳細な説明】
【技術分野】
【０００１】
本発明は、前面に地図を表示し、火災などイベント内容に応じて地図背後から照光表示する表示装置に関する。
【背景技術】
【０００２】
従来、火災報知設備等の監視設備にあっては、表示装置パネルに警戒区域を示す地区表示窓を縦横複数列に配置し、火災感知器の発報により火災信号を受信したようなイベントが発生した場合、火災代表灯を点灯して音響警報を出すと共に、火災を検出した地区の地区表示灯を点滅や点灯するようにしている。
【０００３】
一方、近年にあっては、それまでの地区表示灯に代え、警戒区域の地図を表示装置の表示部に表示し、地図に描かれた警戒区画たとえば部屋毎にスポット的に照明表示を行う発光表示部を裏側に配置し、火災信号を受信した際に、火災を検出した地区の発光表示部を駆動し、地図の中に火災発生場所をスポット的な照明で表示し、火災発生場所が容易に把握できるようにした表示装置が実用化されている。
【０００４】
この表示装置で使用している発光表示部は、ＬＥＤなどの発光素子を内蔵しており、多数の発光表示部を地図の裏側の透明な板に両面粘着シートで仮止めして配置し、その後に支持板を押し当てて固定する構造とし、発光表示部の各々からは信号線が引き出され回路基板の駆動回路に接続されている。
【先行技術文献】
【特許文献】
【０００５】
【特許文献１】特開２００５−１８９４４２号公報
【発明の概要】
【発明が解決しようとする課題】
【０００６】
しかしながら、このような地図上の火災発生場所を裏側に配置した発光表示部の駆動によりスポット的に照明表示する表示装置にあっては、装置裏面側に配置した発光表示部から多数の信号線が駆動回路を実装した回路基板に引き出され、しかも地図の変更に合わせて発光表示部の位置が自由に変えられるように信号線に充分な余裕を持たせてフリーな状態としており、発光表示部を例えば点滅駆動する場合、信号線からノイズが放射されて周辺に設置しているＣＰＵなどの動作に影響を及ぼすおそれがある。また、地図変更に伴い発光表示部の位置を変更することで信号線の回路基板の接続部分に応力が繰り返し加わり、電気的な接続に悪影響を及ぼす恐れもある。
【０００７】
また、駆動回路から離れた位置に信号線により接続された発光表示部を駆動することから、信号線による損失を補うように大きなパワーでＬＥＤを駆動する必要があり、駆動回路が大型化し、消費電力を増えるという問題もある。
【０００８】
更に、地図変更の際には、固定用の支持板を外して発光表示部の配置を変更し、変更後に支持板を取り付けて固定する作業が必要であり、固定用の支持板は、サイズの大きな表示窓に対応した大きさとなるため、支持板の着脱に手間がかかり、変更に伴う作業が煩雑であるという問題もある。
【０００９】
また、地図の区画数に応じたＬＥＤと信号線を別途用意する必要があり、またレイアウト変更の際においても追加分のＬＥＤと信号線を別途用意して回路接続する必要があり、作業が繁雑である。
【００１０】
本発明は、電気的なノイズ発生を抑え、更に、地図変更に伴う表示位置の配置換えが容易な表示装置を提供することを目的とする。
【課題を解決するための手段】
【００１１】
本発明は、前面に地図を表示し、イベント内容に応じて地図背後から照光表示する表示装置に於いて、
装置前面に配置され地図を表示する地図表示部と、
装置内部の基板上に配置された光源と、
地図表示部の背後に着脱自在に配置され、光源から光ファイバーにより伝送した光により地図表示部の地図上の対応位置を局所的に背光照明する照明表示部材と、
を備えたことを特徴とする。
【００１２】
ここで、地図表示部は、透明板部材の表示窓と、
表示窓の背後に配置され、地図を描画した交換自在な地図シート部材と、
地図シート部材の背後に配置されて挟み込み支持する透明板部材を用いた背面カバー部材で構成し、
照明表示部材は背面カバー部材の背後の任意の位置に着脱自在に配置されることを特徴とする。
【００１３】
ここで、照明表示部材は、
背後から光ファイバーを接続し、前方に開口したアダプタと、
アダプタの開口側に配置され、所定形状の切抜きを備えたマスク部材と、
マスク部材を収納した状態でアダプタの開口に装着された透明キャップ部材と、
を備える。
【００１４】
また、照明表示部材は、背後から光ファイバーを接続し、前方に開口したアダプタと、アダプタに光ファイバーからの光を入射して面光源に散乱させる散乱部材を配置する。
【００１５】
更に、照明表示部材は、照明光に任意の色を付与する色フィルタを配置しても良い。
【００１６】
また、照明表示部材を両面粘着シート部材により背面カバー部材に着脱自在に装着する。
【００１７】
また、背面カバー部材の背後に、取付穴を複数形成した取付板部材を配置し、取付板部材の任意の取付穴に照明表示部材を挿入配置する。
【００１８】
光ファイバーは単一光源からの光を分岐して複数の前記照明表示部材に光を伝送する分岐型の光ファイバーとしても良い。
【００１９】
照明表示部材は、背後から光ファイバーを接続し、前方に開口したアダプタと、
アダプタの開口部にレンズ部を形成したことを特徴とする。
照明表示部材は、背後に光ファイバーを挿入固定する挿入穴を有し、前方に穴を開口すると共に穴の底部に凸面レンズ部を形成した透明部材である。
【００２０】
照明表示部材は、背面カバー部材の裏面位置に配置され面発光させるライトガイドと、
ライトガイドに接続され光ファイバーからの光を入射してライトガイドを面発光させるアダプタとを備える。
【００２１】
本発明の表示装置は、照明表示部材から引き出された光ファイバーを回路基板に光源として実装された発光素子の各々に光学的に連結する光源ユニットを設ける。
【００２２】
光源ユニットは、背後に光ファイバーを挿入固定する挿入穴を形成し、前方に回路基板に実装された発光素子を覆うスカート部を形成すると共にスカート部の先端に光源ユニットを回路基板に固定する固定部を形成したアダプタを有する。
【００２３】
本発明の表示装置は、照明表示部材から引き出された複数本のファイバーを着脱自在なコネクタ構造により回路基板側に実装された光源としての発光素子の各々に光学的に連結するコネクタ型光源ユニットを設けても良い。
【００２４】
コネクタ型光源ユニットは、背後に光ファイバーを挿入固定する挿入穴を形成し、前方に回路基板に実装された発光素子を覆うスカート部を形成したアダプタを複数連接し、スカート部の先端にコネクタ光源ユニットを回路基板に固定する固定部を形成する。
【発明の効果】
【００２５】
本発明によれば、地図の裏側に配置される照明表示部材は、別途設置された回路基板に実装されたＬＥＤなどの光源からの光を光ファイバーにより伝送して地図を裏面から照明表示するようにしており、装置裏面と回路基板の駆動回路との間の信号線接続を不要とし、これによって信号線の布線によるノイズ発生や、駆動電力の増加といった問題を解消することができる。
【００２６】
また光ファイバーは例えばコスト的な安価なプラスチック光ファイバーを使用した場合、１ミリメートル程度と細く、非常に軽量で曲げにも強く、そのため、照明表示装置を両面粘着テープなどで確実に地図裏面側の必要な位置に固定することができ、地図変更に伴う照明表示部材の配置変更も容易にできる。
【図面の簡単な説明】
【００２７】
【図１】本発明の表示装置を使用した防災受信盤を示した説明図
【図２】本発明による表示装置の実施形態を示した説明図
【図３】図２の実施形態における光ファイバーで接続された照明表示部材と光源ユニットを取り出して示した断面説明図
【図４】図３の照明表示装置を取り出して示した組立分解図
【図５】コネクタ型光源ユニットを用いた本発明による表示装置の他の実施形態を示した説明図
【図６】図５のコネクタ型光源ユニットを取り出して示した断面図
【図７】取付支持板を用いた本発明による表示装置の他の実施形態を示した説明図
【図８】図７の実施形態における取付支持板を取り出して示した説明図
【図９】図７の実施形態における照明表示部材を取り出して示した断面説明図
【図１０】分岐型光ファイバーを用いた本発明による表示装置の他の実施形態を示した説明図
【図１１】図１０の実施形態における分岐型光ファイバーの分岐構造を取り出して示した断面図
【図１２】照明表示部材の他の実施形態を示した断面説明図
【図１３】矩形表示パターンを実現する照明表示部材の他の実施形態を示した断面説明図
【図１４】光源ユニットの他の実施形態を示した断面図
【図１５】コネクタ型光源ユニットの他の実施形態を示した断面図
【発明を実施するための形態】
【００２８】
図１は本発明の表示装置を使用した防災受信盤を示した説明図である。図１において、防災監視盤１０は、パネル上部に本発明の表示装置１２を配置し、その下に操作表示パネル１４を配置している。表示装置１２には、防災監視盤１０が監視している警戒エリアの例えば建物の階ごとの平面が地図として描かれており、各階の壁などで仕切られた警戒区画ごとに丸印で示す表示部１２ａを複数配置している。
【００２９】
防災監視盤１０からは警戒区域に対し感知器回線が引き出されており、感知器回線に接続している火災感知器で火災を検出すると、防災監視盤１０で火災警報が出され、同時に、火災を検出した表示装置１２上の階の地図における火災発生区画の表示部を点灯または点滅表示させるようにしている。
【００３０】
図２は本発明による表示装置の実施形態を示した説明図であり、図１の防災監視盤１０の前面の扉側の裏面に取り付けられる状態で取り出して示している。
【００３１】
図２において、本発明の表示装置１２は、防災監視盤１０の前面パネル開口には警戒区域図を表示した地図表示部が配置され、地図表示部は前面に表示窓１６を有し、表示窓１６としては透明なアクリル板やガラス板などが使用される。表示窓１６の背後には、間に地図シート部材１８を介在して背面カバー部材２０が着脱自在に設けられている。背面カバー部材２０としては、透明なアクリル樹脂プレートなどを使用する。
【００３２】
表示窓１６と背面カバー部材２０との間に挟み込まれた地図シート部材１８には、図１の表示装置１２に示すように、警戒区域における建物階別の地図などがカラープリンタなどを使用して印刷されることで描かれている。地図シート部材１８としては、カラープリンタなどで印刷可能な紙あるいはフィルムなどを使用する。
【００３３】
背面カバー部材２０の裏面には複数の照明表示部材２４が配置されている。照明表示部材２４は、地図シート部材１８に印刷している警戒区域の建物の地図の各監視区画に対応した位置に配置されている。
【００３４】
照明表示部材２４からは光ファイバー２６が引き出され、盤内の別の場所に設置された回路基板２２に実装された光源ユニット２８に接続されている。回路基板２２には光源ユニット２８の駆動回路が実装されており、火災信号を受信した際には、対応する監視区画の光源ユニット２８が発光駆動され、発光駆動された光源ユニット２８からの光が光ファイバー２６を通って照明表示部材２４に伝送され、照明表示部材２４から背面カバー部材２０を介して地図シート部材１８を裏面から背光照明し、表示窓１６前面側から見て、地図上に火災発生場所を示すスポット状の表示が行われる。
【００３５】
図３は図２の実施形態における光ファイバーで接続された照明表示部材と光源ユニットを取り出して示した断面説明図である。図３において、照明表示部材２４は、表示窓１６に対し地図シート部材１８を間に挟んで配置した背面カバー部材２０の裏面に、透明もしくは半透明な両面接着シート２５を使用して接着固定される。
【００３６】
照明表示部材２４はアダプタ３０を有し、アダプタ３０に光源ユニット２８からの光ファイバー２６の先端を挿入し、前方の円筒状に開口した収納部３０ａの底部に光ファイバー２６の先端を位置決めしている。アダプタ３０の収納部３０ａには散乱部材３２が組み込まれる。散乱部材３２は光ファイバー２６からの光を入射して散乱し、光ファイバー２６からのスポット光を面光源に変換する。
【００３７】
散乱部材３２に続いては色フィルタ３４が配置される。色フィルタ３４は散乱部材３２により、面光源に変換された光に着色を施して出射させる。色フィルタ３４の使用は光源ユニット２８からの光が白色光の場合に使用するものであり、光源ユニット２８からの光に色が着いている場合には色フィルタ３４は不要である。
【００３８】
色フィルタ３４に続いてはマスク部材３６が配置される。マスク部材３６は中央部分に適宜の形状の切抜き３６ａ、例えば円形の切抜き３６ａを形成しており、照明表示部材２４から出力する照明光の投影形状を規定する。
【００３９】
アダプタ３０の開口穴に組み込まれた散乱部材３２、色フィルタ３４及びマスク部材３６は、開口側から装着した透明キャップ部材３８により組込み固定されている。透明キャップ部材３８は開口部内縁に嵌合突起３８ａを形成しており、嵌合突起３８ａをアダプタ３０の外周の嵌合溝３０ａに嵌め込むことで組み付け固定されている。
【００４０】
一方、回路基板２２に設けた光源ユニット２８は、回路基板２２に実装された発光素子であるＬＥＤ４０に対し、アダプタ４２により光ファイバー２６の先端を挿入固定した状態で相対配置している。
【００４１】
即ちアダプタ４２は、回路基板２２に固定するための鍔部４２ａを形成し、鍔部４２ａの接着により回路基板２２に固着されている。またアダプタ４２の後方には円筒部４２ｂが形成され、ここに光ファイバー２６の先端を差し込んで、ＬＥＤ４０に当接するように固定している。
【００４２】
本実施形態で使用する光ファイバー２６としては、プラスチック光ファイバーを使用することが望ましい。プラスチック光ファイバーはコア材にアクリルを使用し、コア材を覆うグラッド材にフッ素樹脂を使用した光ファイバーであり、石英系の光ファイバーに比べ安価で曲げに強く、折れにくいという特徴を持つ。
【００４３】
また石英系の光ファイバーと異なり大口径であり、ファイバー径が１ミリメートル、コア径が０．９８ミリメートル程度であり、ファイバー端面に多少の傷や汚れ、光軸ずれがあっても、十分な効率でＬＥＤ４０からの光を照明表示部材２４に伝送して、地図シート部材１８を背光照明することができる。
【００４４】
また光源ユニット２８に使用するＬＥＤ４０としては、地図上の火災発生場所を背光照明により示すことから、赤色ＬＥＤを使用することができる。赤色ＬＥＤを使用した場合には、照明表示部材２４に設けている色フィルタ３４は不要である。また、ＬＥＤ４０として白色ＬＥＤを使用することもできる。白色ＬＥＤを使用した場合には、照明表示部材２４に色フィルタ３４を配置し、必要な表示色を設定する。
【００４５】
図４は図３の照明表示装置を取り出して示した組立分解図である。図４において、照明表示部材２４は光ファイバー２６を挿入接続したアダプタ３０を有し、アダプタ３０には外周に嵌合溝３０ｂが形成され、先端側に円筒状の収納部３０ａを開口している。アダプタ３０の収納部３０ａには散乱部材３２が組み込まれ、光ファイバー２６からのスポット光を散乱により面光源に変換する。
【００４６】
散乱部材３２に続いては必要に応じて色フィルタ３４が配置される。続いて、円形の切抜き３６ａを形成したマスク部材３６が組み込まれる。マスク部材３６の切抜き３６ａとしては、円形以外に、適宜の照明による投影形状を設定することができる。
【００４７】
アダプタ３０の円筒状の収納部３０ａには、散乱部材３２、色フィルタ３４及びマスク部材３６を組み込んだ状態で、最終的に先端側に透明キャップ部材３８が嵌め込まれ、透明キャップ部材３８の図３に示した嵌合部３８ａがアダプタ３０の嵌合溝３０ｂに嵌合して組込み固定ができる。
【００４８】
このような図４に示す構造の照明表示部材２４は、光源となるＬＥＤを組み込んでいないため小型軽量化でき、光ファイバー２６もファイバー径が１ミリメートルとごく細く軽量なため、図３に示すように両面粘着シート２５を使用するだけで確実に背面カバー部材２０の地図シート部材１８の警戒区域に対応した位置に粘着固定することができる。
【００４９】
また地図シート部材１８の地図を変更したような場合には、必要に応じて照明表示部材２４を背面カバー部材２０から取り外し、同じく両面粘着シート２５を使用して、変更後の地図における対応位置に簡単に移し替えて配置することができる。
【００５０】
また回路基板２２の光源ユニット２８からの光を光ファイバー２６により照明表示部材２４に伝送しているため、従来の信号線を使用した照明表示部材に比べ、光源としてのＬＥＤ４０を駆動するための信号線の配線は不要であり、したがって信号線の配線によるノイズ等の問題を完全になくすことができる。また光源としてのＬＥＤ４０は駆動回路を実装した回路基板２２に実装されているため、信号線による損失を考慮したパワーの増加が不要となり、少ない駆動電力でＬＥＤ４０を発光駆動することができる。
【００５１】
図５はコネクタ型光源ユニットを用いた本発明による表示装置の他の実施形態を示した説明図である。図５において、この実施形態の表示装置１２の表示窓１６側に配置される照明表示部材２４については図２の実施形態と同じであるが、回路基板２２側に設置される光源ユニットとしてコネクタ型光源ユニット４６を使用したことを特徴とする。
【００５２】
図６は図５のコネクタ型光源ユニットを取り出して示した断面図である。図６において、コネクタ型光源ユニット４６はコネクタベース４８とコネクタカバー５０で構成される。コネクタベース４８には複数のＬＥＤ４０が組み込まれており、右側に取り出したコネクタリードピン５２にリード端子を接続している。
【００５３】
コネクタベース４８に対しコネクタカバー５０が着脱自在に設けられており、コネクタカバー５０にはコネクタベース４８に組み込んだＬＥＤ４０に相対する位置に複数本の光ファイバー２６の先端部が位置するように挿入固定されている。
【００５４】
このようなコネクタ型光源ユニット４６を使用することで、回路基板２２に対する光源ユニットと、これに対する光ファイバー２６の組付け配置が極めて簡単に行うことができる。
【００５５】
特に、図５に示すように、表示窓１６に対し地図シート部材１８を間に挟んで配置した背面カバー部材２０に対する照明表示部材２４の配置固定の際には、回路基板２２側からコネクタカバー５０を取り外しておくことで、回路基板２２に対する光ファイバー２６の配線を考慮することなく、表示窓１６側で複数の照明表示部材の背面カバー部材２０に対する配置作業を容易に行うことができ、背面カバー部材２０に対する照明表示部材２４の配置固定が完了した後に回路基板２２のコネクタベース４８にコネクタカバー５０を組み込むことで、簡単に複数の照明表示部材２４による光ファイバー２６を使用した光源としてのＬＥＤ４０との光学的な接続が完成できる。
【００５６】
図７は取付支持板を用いた本発明による表示装置の他の実施形態を示した説明図である。図７において、この実施形態の表示装置１２は、表示窓１６に対し地図シート部材１８を間に挟んで配置した背面カバー部材２０の背後に、所定の間隔を隔てて取付板部材５４を離間配置している。
【００５７】
取付板部材５４は、図８に示すように、板面の縦及び横方向に所定のピッチ間隔で取付穴５６を複数形成している。取付穴５６のピッチ間隔は、地図シート部材１８に描いている地図の最も小さな警戒区域に対応した分解能となるピッチ間隔で形成している。
【００５８】
このような取付穴５６を縦横に形成した取付板部材５４を背面カバー部材２０の後ろに間を空けて離間配置することで、地図シート部材１８の対応する警戒区域に対する照明表示部材２４の配置固定を、取付板部材５４の取付穴５６に対する照明表示部材２４の挿入固定により簡単に組み付けることができる。
【００５９】
図９は図７の実施形態における照明表示部材の取付部分を取り出して示した断面説明図である。図９（Ａ）において、表示窓１６に対し地図シート部材１８を挟んで配置された背面カバー部材２０に対し、所定の間隔を隔てて取付板部材５４が配置され、取付板部材５４には取付穴５６が形成されている。
【００６０】
取付穴５６は、図９（Ｂ）に示すように、例えば横方向の相対する２箇所に切欠６０を形成している。一方、照明表示部材２４はアダプタ３０により光ファイバー２６を挿入固定し、アダプタ３０の収納部３６ａに散乱部材３２、色フィルタ３４及びマスク部材３６を組み込んだ状態で、底付円筒状の透明キャップ部材３８を前方から嵌め入れて組込み固定しており、透明キャップ部材３８の外周の２箇所には抜止突起５８が形成されている。
【００６１】
このような構造の照明表示部材２４を取付板部材５４に組み付ける場合には、図９（Ｂ）の取付穴５６の水平方向に形成されている切欠６０に照明表示部材２４の透明キャップ部材３８に形成した抜け止め突起５８を合わせて取付穴５６に挿入し、取付穴５６に挿入した後に照明表示部材２４を回すことで、図９（Ａ）に示すように抜止突起５８が取付穴５６の内側に位置して、先端を背面カバー部材２０に押し当てた状態で取付固定することができる。
【００６２】
また図９（Ａ）に示す照明表示部材２４の取付状態から外す場合には、照明表示部材２４を回して、図９（Ｂ）に示す切欠６０に抜止突起５８を位置合せすることで、簡単に取り外すことができる。
【００６３】
図１０は分岐型光ファイバーを用いた本発明による表示装置の他の実施形態を示した説明図である。図１０において、この実施形態の表示装置１２は、表示窓１６の背後に地図シート部材１８を間に挟んで配置した背面カバー部材２０の裏面に複数の照明表示部材２４を着脱自在に配列固定している点は図２の実施形態と同じであるが、例えば背面カバー部材２０の上側の２箇所に配置した照明表示部材２４については、分岐型光ファイバー６２を使用して回路基板２２の光源ユニット２８に接続している。
【００６４】
分岐型光ファイバー６２は、光源ユニット２８からの光ファイバー２６ａを分岐部６４で２つに分けて光ファイバー２６ｂ，２６ｃを取り出し、２つの照明表示部材２４に同じ光源ユニット２８からの光を分岐して伝送するようにしている。
【００６５】
図１１は図１０の実施形態における分岐型光ファイバーの分岐構造を取り出して示した断面図である。図１１において、分岐型光ファイバー６２の分岐部６４には台形ブロック形状を持つ分岐光学部材６６が組み込まれており、分岐光学部材６６の台形上辺側に光源ユニット２８からの光ファイバー２６ａの端面を当接し、台形底面側に照明表示部材２４に対する２本の光ファイバー２６ｂ，２６ｃの先端を当接させ、これによって、光ファイバー２６ａからの光を分岐光学部材６６を介して２本の光ファイバー２６ｂ，２６ｃに分岐入射して伝送するようにしている。
【００６６】
この図１０及び図１１に示すような分岐型光ファイバー６２の使用は、地図シート部材１８に描いている警戒区域の地図の内、１つの警戒区域が広いような場合に、同じ警戒区域につき照明表示部材２４を２つ配置して、火災発生場所の表示などに使用する場合に適している。このような分岐型光ファイバー６２を表示すれば、表示面積の大きい区画につき１つの光源ユニット２８の発光駆動で２つの照明表示部材２４による背光照明を行うことができる。分岐の数は２つに限らず、２つ以上に分岐しても良い
図１２は照明表示部材の他の実施形態を示した断面説明図であり、表示パターンのサイズとなる大、中、小に対応して図１２（Ａ），（Ｂ），（Ｃ）に分けて示している。
【００６７】
図１２（Ａ）はサイズの大きい表示パターンを照明表示する照明表示部材２４Ａであり、透明な合成樹脂材料で作られた円柱状のアダプタ７０を有し、アダプタ７０の背後にファイバー挿入穴７０ａを形成して光源ユニットからの光ファイバー２６を挿入し、ファイバー先端をアダプタ７０内に配置している。
【００６８】
アダプタ７０の前方には円筒穴７０ｃが開口され、円筒穴７０ｃの底部には凸面をもつレンズ部７０ｂを形成し、光ファイバー２６の先端から出された光をレンズ部７０ｂを介して絞ることで開口側に位置する背面カバー部材２０をスポット状に照明光を当てるようにしている。また、アダプタ７０に形成した円筒穴７０ｃの開口部外周には取付け用の鍔部７０ｄを形成し、鍔部７０ｄを両面粘着テープ２５により背面カバー部材２０の裏面に接着固定している。
【００６９】
更に、アダプタ７０の前方の先端面を除く外周部分には、光ファイバー２６からアダプタ７０内に出された光が外部に漏れ出すことを防止するため遮光層を形成しており、この遮光層としては、アダプタ７０の外周面に黒色塗装を施すか、アルミニウムなどの金属層を蒸着すれば良い。
【００７０】
このような構造の照明表示部材２４にあっては、アダプタ７０のみで済むという簡単な構造であることから、照明表示するパターンサイズが大きくても、照明表示部材２４の小型化と軽量化が達成でき、地図シート部材１８の交換に伴う配置の変更が容易で、変更後の固定保持も確実にでき、併せてコストの低減をはかることができる。
【００７１】
図１２（Ｂ）は中サイズの表示パターンを照明表示する照明表示部材２４Ｂであり、構造は図１２（Ａ）の場合と基本的に同じであり、透明な合成樹脂材料で作られた円柱状のアダプタ７２の背後にファイバー挿入穴７２ａを形成して光源ユニットからの光ファイバー２６を挿入し、前方には円筒穴７２ｃが開口され、円筒穴７２ｃの底部には凸面をもつレンズ部７２ｂを形成し、また、アダプタ７２に形成した円筒穴７２ｃの開口部外周には取付け用の鍔部７２ｄを形成し、更に、アダプタ７２の前方の先端面を除く外周部分に、遮光層を形成している。
【００７２】
図１２（Ｃ）は小サイズの表示パターンを照明表示する照明表示部材２４Ｃであり、構造は図１２（Ａ）の場合と基本的に同じであり、透明な合成樹脂材料で作られた円柱状のアダプタ７４の背後にファイバー挿入穴７４ａを形成して光源ユニットからの光ファイバー２６を挿入し、前方には円筒穴７４ｃが開口され、円筒穴７４ｃの底部には凸面をもつレンズ部７４ｂを形成し、また、アダプタ７４に形成した円筒穴７４ｃの開口部外周には取付け用の鍔部７４ｄを形成し、更に、アダプタ７４の前方の先端面を除く外周部分に、遮光層を形成している。
【００７３】
図１３は照明表示部材の他の実施形態を示した説明図であり、この実施形態にあってはライトガイドを使用して矩形表示パターンを照明表示できるようにしたことを特徴とする。なお、図１３（Ａ）は正面、図１３（Ｂ）は平面、図１３（Ｃ）は左側面、図１３（Ｄ）は右側面をそれぞれ示している。
【００７４】
図１３の照明表示部材２４は、背面カバー部材２０の裏面位置に配置され矩形表示パターンを形成するライトガイド（導光板）７８と、ライトガイド７８の側端に光ファイバー２６からの光を入射してライトガイド７８を面発光させるアダプタ７６で構成されている。アダプタ７６は透明な合成樹脂で構成され、背後から光ファイバー２６を挿入固定している。ライトガイド７８は表示窓１６に矩形表示パターン８０を照明表示させるもので、必要とする矩形表示パターン８０のサイズに応じた矩形ブロック形状をもっている。
【００７５】
このようなライトガイド７８を備えた照明表示部材２４を使用することで、図３及び図１２の実施形態によるスポット表示パターンとなる照明表示に加え、地図上の矩形の領域に対応した矩形表示パターンによる照明表示が可能となり、より自由度の高い視認性に優れた地図などの照明表示が実現できる。なお、図１３の実施形態においても図３に示すような色フィルタを挿入しても良い。
【００７６】
図１４は回路基板側に設ける光源ユニットの他の実施形態を示した説明図であり、この実施形態は回路基板に実装したＬＥＤチップからの光を光ファイバーにより照明表示部材に伝送するようにしたことを特徴とする。
【００７７】
図１４において、光源ユニット２８は、照明表示部材から引き出された光ファイバー２６を回路基板２２に光源として実装されたＬＥＤチップ８４に光学的に連結するもので、合成樹脂で作られたアダプタ８２を使用している。アダプタ８２は、背後に光ファイバー２６を挿入固定するファイバー挿入穴８２ａを形成し、ファイバー挿入穴８２ａの途中には抜止部８２ｂが突設され、挿入した光ファイバー２６を押えて固定している。
【００７８】
アダプタ８２の前方には拡径されたスカート部８２ｃが形成され、回路基板２２に実装されたＬＥＤチップ８４の周囲を覆い、ＬＥＤチップ８４の駆動で発光した光を光ファイバー２６の端面に入射させている。更にアダプタ８２に形成したスカート部８２ｃの先端に回路基板２２の取付穴に挿入して抜止めするエッジ付きの爪部８２ｄを形成している。
【００７９】
このような光源ユニット２８にあっては、アダプタ８２だけで光ファイバー２６の先端を回路基板２２上のＬＥＤチップ８４を覆う位置に配置して光学的に結合することができ、組立と取扱いが容易でコスト的にも安価にできる。
【００８０】
図１５はコネクタ構造をもつ光源ユニットの他の実施形態を示した説明図である。図１５において、コネクタ型光源ユニット４６は、照明表示部材から引き出された複数本のファイバーを着脱自在なコネクタ構造により回路基板２２側に実装された光源としてのＬＥＤチップ８４の各々に光学的に連結する。
【００８１】
即ち、コネクタ型光源ユニット４６は、回路基板２２に実装されたＬＥＤチップ８４の数に対応した例えば６個のアダプタ８６を横方向に並べて連接し、アダプタ８６の各々は、背後に光ファイバー２６を挿入固定するファイバー挿入穴８６ａを形成し、ファイバー挿入穴８６ａの途中には抜止部８６ｂが突設され、挿入した光ファイバー２６を押えて固定している。またアダプタ８６の前方に回路基板２２に実装されたＬＥＤチップ８４を覆うスカート部８６ｃを形成している。更に、両側に位置するスカート部８６ｃの先端に回路基板２２の取付穴に挿入して抜止めするエッジ付きの爪部８６ｄを形成している。
【００８２】
このようなコネクタ型光源ユニット４６にあっては、アダプタ８６を連接した簡単な構造で回路基板２２上に実装された複数のＬＥＤチップ８４と光ファイバー２６を光学的に結合することができ、組立と取扱いが容易でコスト的にも安価にできる。コネクタ型光源ユニット４６は一列分を連接する物に限らず、ＬＥＤチップの実装形態に応じて、縦列及び横列の２次元的にまとめて連接する構成としても良い。光源ユニットは、建物への設置時に監視表示使用するＬＥＤチップの箇所に後から取り付けても良いし、工場出荷時に全てのＬＥＤチップ８４に光源ユニットが予めセットされており、建物への取付時に必要なＬＥＤチップの箇所にのみ光ファイバーを挿入するようにしても良い。
【００８３】
なお上記の実施形態にあっては、照明表示部材に散乱部材３２を組み込んで光ファイバー２６からのスポット光を面光源に変換しているが、散乱部材３２は必ずしも設ける必要はなく、光ファイバー２６の先端からマスク部材３６の間に散乱部材３２を収納する空間をそのまま残しておくことで、光ファイバー２６からの光を、この空間を通る際に拡散することを利用してそのまま地図シート部材１８を背光照明してもよい。マスク部材もアダプタ３０自体が遮光機能を兼ねていれば必ずしも必要としない。
【００８４】
またアダプタ３０の収納部３０ａに対する散乱部材３２、色フィルタ３４及びマスク部材３６の配置の順番は上記の実施形態に限定されず、適宜の順番に配列しても良い。色フィルタは必ずしも必要ではなく、地図シート部材１８自体を着色しても良い。
【００８５】
また上記の実施形態にあっては、回路基板２２側の光源として設けたＬＥＤ４０として、透明な保護キャップに組み込んだ構造のＬＥＤを使用しているが、発光部が外部に露出したチップ型のＬＥＤを使用してもよい。
【００８６】
また上記の実施形態は防災監視盤１０に設ける表示装置を例に取るものであったが、本発明の表示装置は、防犯受信機、副受信機、連動制御盤、表示盤など、また防犯設備や消火設備の受信機など適宜の監視に使用する表示装置にそのまま適用することができる。
【００８７】
また、上記の実施形態において、地図表示部は表示窓、地図シート部材及び背面カバー部材の３部材を重ねて構成しているが、これに限らず表示窓と地図シート部材を兼ねた例えば地図を印刷した厚めのアクリル板部材の背後に、本発明の照明表示部材を配置する構成においても適用できる。
【００８８】
また本発明は、その目的と利点を損なうことのない適宜の変形を含み、更に上記の実施形態に示した数値による限定は受けない。
【符号の説明】
【００８９】
１０：防災監視盤
１２：表示装置
１４：操作表示パネル
１６：表示窓
１８：地図シート部材
２０：背面カバー部材
２２：回路基板
２４，２４Ａ，２４Ｂ，２４Ｃ：照明表示部材
２５：両面粘着シート
２６：光ファイバー
２８：光源ユニット
３０，４２，７０，７２，７４，８２，８６：アダプタ
３２：散乱部材
３４：色フィルタ
３６：マスク部材
３８：透明キャップ部材
４０：ＬＥＤ
４６：コネクタ型光源ユニット
４８：コネクタベース
５０：コネクタカバー
５２：コネクタリードピン
５４：取付板部材 
５６：取付穴
５８：抜止突起
６０：切欠
６２：分岐型光ファイバー
６４：分岐部
６６：分岐光学部材
【図１】
2010217361.tif 000003
【図２】
2010217361.tif 000004
【図３】
2010217361.tif 000005
【図４】
2010217361.tif 000006
【図５】
2010217361.tif 000007
【図６】
2010217361.tif 000008
【図７】
2010217361.tif 000009
【図８】
2010217361.tif 000010
【図９】
2010217361.tif 000011
【図１０】
2010217361.tif 000012
【図１１】
2010217361.tif 000013
【図１２】
2010217361.tif 000014
【図１３】
2010217361.tif 000015
【図１４】
2010217361.tif 000016
【図１５】
2010217361.tif 000017